【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
上部が開口した容器本体の口頸部に着脱自在に取り付けられるキャップユニットであって、
前記容器本体の上部開口部を閉塞すると共に、上部に飲み口又は注ぎ口が設けられたキャップ本体と、
前記キャップ本体にヒンジ部を介して回動自在に取り付けられると共に、前記ヒンジ部に設けられた付勢部材によって前記飲み口又は注ぎ口を開放する方向に付勢された状態で、前記飲み口又は注ぎ口を開閉する蓋体と、
前記付勢部材の付勢に抗して、前記蓋体が前記飲み口又は注ぎ口を閉塞する位置にて前記蓋体を固定する蓋ロック機構とを備え、
前記蓋ロック機構は、前記蓋体にヒンジ部を介して回動自在に取り付けられると共に、一端側に設けられた一方の係止部が前記キャップ本体側に設けられた他方の係止部に係止されるロック位置と、前記一方の係止部と前記他方の係止部との係止状態が解除されるロック解除位置との間で回動されるロック部材を有し、
前記ロック部材が前記ロック位置にあるとき、前記蓋体の周壁部に設けられたスリットの内側に前記一方の係止部が位置し、前記ロック部材が前記ロック解除位置にあるとき、前記一方の係止部が前記スリットの間から外側に突き出されることを特徴とするキャップユニット。
【請求項２】
前記周壁部の前記ヒンジ部とは反対側に前記スリットが設けられていることを特徴とする請求項１に記載のキャップユニット。
【請求項３】
前記蓋ロック機構は、前記蓋体の上部に位置する操作ボタンと、
前記操作ボタンを押し下げる方向に案内するガイド孔と、
前記ロック部材を回動方向の前記ロック位置側に向かって付勢する第２のバネ部材とを有し、
前記操作ボタンを前記第２のバネ部材の付勢に抗して前記ガイド孔の内側に向かって押し下げる操作を行うことによって、前記第２のバネ部材の付勢に抗して前記ロック部材を前記ロック解除位置まで回動させることを特徴とする請求項１又は２に記載のキャップユニット。
【請求項４】
前記蓋ロック機構は、前記操作部材を押し上げる方向に向かって付勢する第３のバネ部材を有することを特徴とする請求項３に記載のキャップユニット。
【請求項５】
前記蓋ロック機構は、前記ガイド孔の内側に配置されると共に、前記操作ボタンをスライド方向の一端と他端との間でスライド自在に案内する操作部材と、
前記操作ボタンをスライド方向の前記一端側に向かって付勢する第１のバネ部材とを有し、
前記操作ボタンを前記第１のバネ部材の付勢に抗して前記一端側から前記他端側までスライドさせる操作をした後に、前記操作ボタンを前記操作部材と共に前記第２のバネ部材の付勢に抗して前記ガイド孔の内側に向かって押し下げる操作を行うことによって、前記操作部材が前記ロック部材の他端側を押圧しながら、前記第２のバネ部材の付勢に抗して前記ロック部材を前記ロック解除位置まで回動させることを特徴とする請求項３又は４に記載のキャップユニット。
【請求項６】
前記操作ボタンのスライド方向の前記一端は、前記操作ボタンの一部が前記蓋体の上面と重なる位置にあり、前記操作ボタンのスライド方向の前記他端は、前記操作ボタンが前記ガイド孔と重なる位置にあることを特徴とする請求項５に記載のキャップユニット。
【請求項７】
前記蓋ロック機構は、前記操作ボタンをスライドさせる方向に案内するガイド溝を有し、
前記ガイド孔は、前記ガイド溝の内側に位置することを特徴とする請求項５又は６に記載のキャップユニット。
【請求項８】
前記操作ボタンをスライドさせる方向の他端側に前記ヒンジ部が位置することを特徴とする請求項５〜７の何れか一項に記載のキャップユニット。
【請求項９】
請求項１〜８の何れか一項に記載のキャップユニットと、
前記キャップユニットが取り付けられた容器本体とを備える飲料用容器。
【手続補正２】
【補正対象書類名】明細書
【補正対象項目名】０００９
【補正方法】変更
【補正の内容】
【０００９】
上記目的を達成するために、本発明は以下の手段を提供する。
〔１〕  上部が開口した容器本体の口頸部に着脱自在に取り付けられるキャップユニットであって、
前記容器本体の上部開口部を閉塞すると共に、上部に飲み口又は注ぎ口が設けられたキャップ本体と、
前記キャップ本体にヒンジ部を介して回動自在に取り付けられると共に、前記ヒンジ部に設けられた付勢部材によって前記飲み口又は注ぎ口を開放する方向に付勢された状態で、前記飲み口又は注ぎ口を開閉する蓋体と、
前記付勢部材の付勢に抗して、前記蓋体が前記飲み口又は注ぎ口を閉塞する位置にて前記蓋体を固定する蓋ロック機構とを備え、
前記蓋ロック機構は、前記蓋体にヒンジ部を介して回動自在に取り付けられると共に、一端側に設けられた一方の係止部が前記キャップ本体側に設けられた他方の係止部に係止されるロック位置と、前記一方の係止部と前記他方の係止部との係止状態が解除されるロック解除位置との間で回動されるロック部材を有し、
前記ロック部材が前記ロック位置にあるとき、前記蓋体の周壁部に設けられたスリットの内側に前記一方の係止部が位置し、前記ロック部材が前記ロック解除位置にあるとき、前記一方の係止部が前記スリットの間から外側に突き出されることを特徴とするキャップユニット。
〔２〕  前記周壁部の前記ヒンジ部とは反対側に前記スリットが設けられていることを特徴とする前記〔１〕に記載のキャップユニット。
〔３〕  前記蓋ロック機構は、前記蓋体の上部に位置する操作ボタンと、
前記操作ボタンを押し下げる方向に案内するガイド孔と、
前記ロック部材を回動方向の前記ロック位置側に向かって付勢する第２のバネ部材とを有し、
前記操作ボタンを前記第２のバネ部材の付勢に抗して前記ガイド孔の内側に向かって押し下げる操作を行うことによって、前記第２のバネ部材の付勢に抗して前記ロック部材を前記ロック解除位置まで回動させることを特徴とする前記〔１〕又は〔２〕に記載のキャップユニット。
〔４〕  前記蓋ロック機構は、前記操作部材を押し上げる方向に向かって付勢する第３のバネ部材を有することを特徴とする前記〔３〕に記載のキャップユニット。
〔５〕  前記蓋ロック機構は、前記ガイド孔の内側に配置されると共に、前記操作ボタンをスライド方向の一端と他端との間でスライド自在に案内する操作部材と、
前記操作ボタンをスライド方向の前記一端側に向かって付勢する第１のバネ部材とを有し、
前記操作ボタンを前記第１のバネ部材の付勢に抗して前記一端側から前記他端側までスライドさせる操作をした後に、前記操作ボタンを前記操作部材と共に前記第２のバネ部材の付勢に抗して前記ガイド孔の内側に向かって押し下げる操作を行うことによって、前記操作部材が前記ロック部材の他端側を押圧しながら、前記第２のバネ部材の付勢に抗して前記ロック部材を前記ロック解除位置まで回動させることを特徴とする前記〔３〕又は〔４〕に記載のキャップユニット。
〔６〕  前記操作ボタンのスライド方向の前記一端は、前記操作ボタンの一部が前記蓋体の上面と重なる位置にあり、前記操作ボタンのスライド方向の前記他端は、前記操作ボタンが前記ガイド孔と重なる位置にあることを特徴とする前記〔５〕に記載のキャップユニット。
〔７〕  前記蓋ロック機構は、前記操作ボタンをスライドさせる方向に案内するガイド溝を有し、
前記ガイド孔は、前記ガイド溝の内側に位置することを特徴とする前記〔５〕又は〔６〕に記載のキャップユニット。
〔８〕  前記操作ボタンをスライドさせる方向の他端側に前記ヒンジ部が位置することを特徴とする前記〔５〕〜〔７〕の何れか一項に記載のキャップユニット。
〔９〕  前記〔１〕〜〔８〕の何れか一項に記載のキャップユニットと、
前記キャップユニットが取り付けられた容器本体とを備える飲料用容器。